(57)【要約】【課題】吊り下げ部に照明器具を吊り下げて取り付ける作業がしやすい照明器具の取付方法、取付具及び照明器具ユニットを提供する。【解決手段】照明器具１は、開口又は切欠からなる第一通し部を有する第一支持部１１と、開口又は切欠からなる第二通し部１２０を有する第二支持部１２と、を有している。取付具５は、吊り下げ部６に支持される上支持片５０と、第一側片５１と、第二側片５２と、を有している。第一側片５１は、上支持片５０の一水平方向の一端側部分から下方に第一長さ突出し、仮支持部５３を有しかつ仮支持部５３よりも上側の部分に本支持具が取り付けられる本支持具取付部を有する。第二側片５２は、上支持片５０の一水平方向の他端側部分から下方に第一長さよりも短い第二長さ突出し、雄ねじ部５２１を有する。仮支持部５３により、第一支持部１１の第一通し部の周辺部分が支持される。【選択図】図６
2020107435.tif 000002
【特許請求の範囲】
【請求項１】
照明器具を、取付具を介して吊り下げ部に吊り下げて前記吊り下げ部に取り付ける照明器具の取付方法であって、
前記照明器具は、
開口又は切欠からなる第一通し部を有する第一支持部と、
開口又は切欠からなる第二通し部を有する第二支持部と、を有しており、
前記取付具は、
前記吊り下げ部に支持される上支持片と、
前記上支持片の一水平方向の一端側部分から下方に第一長さ突出し、仮支持部を有しかつ前記仮支持部よりも上側の部分に本支持具が取り付けられる本支持具取付部を有する第一側片と、
前記上支持片の前記一水平方向の他端側部分から下方に前記第一長さよりも短い第二長さ突出し、雄ねじ部を有する第二側片と、を有しており、
前記第一側片が前記第一通し部に通されて前記仮支持部が前記第一支持部の前記第一通し部の周辺部分を支持可能な状態で、前記上支持片が前記吊り下げ部に支持されて前記取付具が前記吊り下げ部に吊り下げられ、
前記吊り下げ部に吊り下げられた前記取付具の前記仮支持部により、前記第一支持部の前記第一通し部の周辺部分が支持され、かつ、前記第二側片が前記第二通し部の上方に位置する状態で、前記照明器具が前記取付具を介して前記吊り下げ部に吊り下げられ、
前記照明器具が持ち上げられて上昇し、前記第二側片が前記第二通し部に通されて前記雄ねじ部が前記第二支持部の下方に位置する状態で、前記雄ねじ部にナットを螺合させ、
前記本支持具取付部に前記本支持具が取り付けられる、
照明器具の取付方法。
【請求項２】
前記取付具が逆Ｊ字状をしたＪ型ボルトであり、
前記第一側片の下部に下雄ねじ部が形成されかつ上部に前記本支持具取付部としての上雄ねじ部が形成されており、前記下雄ねじ部に前記仮支持部としてのナットが螺合し、
前記仮支持部としての前記ナットが前記本支持具を兼用して、前記上雄ねじ部に螺合する、
請求項１に記載の照明器具の取付方法。
【請求項３】
前記取付具が逆Ｊ字状をしたＪ型ボルトであり、
前記第一側片の下端部がその上側の部分に対して曲がっていて、前記曲がっている下端部が前記仮支持部を構成する、
請求項１に記載の照明器具の取付方法。
【請求項４】
前記取付具が逆Ｊ字状をしたＪ型ボルトであり、
前記第一側片の下部に溝部が形成されており、前記溝部に前記仮支持部としてのＥリングが挿入される、
請求項１に記載の照明器具の取付方法。
【請求項５】
前記第一側片の上部に溝部が形成されており、前記溝部に前記本支持具としてのＥリングが挿入される、
請求項３又は４に記載の照明器具の取付方法。
【請求項６】
開口又は切欠からなる第一通し部を有する第一支持部と、開口又は切欠からなる第二通し部を有する第二支持部と、を有する照明器具を、吊り下げ部に吊り下げて取り付けるための取付具であって、
前記吊り下げ部に支持される上支持片と、
前記上支持片の一水平方向の一端側部分から下方に第一長さ突出し、仮支持部を有しかつ前記仮支持部よりも上側の部分に本支持具が取り付けられる本支持具取付部を有する第一側片と、
前記上支持片の前記一水平方向の他端側部分から下方に前記第一長さよりも短い第二長さ突出し、雄ねじ部を有する第二側片と、を有する、
取付具。
【請求項７】
照明器具と、取付具と、を備え、
前記照明器具は、
開口又は切欠からなる第一通し部を有する第一支持部と、
開口又は切欠からなる第二通し部を有する第二支持部と、を有し、
前記取付具は、
前記吊り下げ部に支持される上支持片と、
前記上支持片の一水平方向の一端側部分から下方に第一長さ突出し、仮支持部を有しかつ前記仮支持部よりも上側の部分に本支持具が取り付けられる本支持具取付部を有する第一側片と、
前記上支持片の前記一水平方向の他端側部分から下方に前記第一長さよりも短い第二長さ突出し、雄ねじ部を有する第二側片と、を有する、
照明器具ユニット。
【発明の詳細な説明】
【技術分野】
【０００１】
本開示は、照明器具の取付方法、取付具及び照明器具に関し、さらに詳しくは、照明器具を取付具を介して吊り下げ部に吊り下げて取り付けるための照明器具の取付方法、前記取付方法に用いられる取付具及び前記取付方法に用いられる照明器具ユニットに関する。
【背景技術】
【０００２】
特許文献１に、従来の照明システムが開示されている。照明システムは、照明装置を、例えば吊りパイプ等からなる構造物に対して、取付装置により吊り下げ固定する。
【０００３】
取付装置は、照明装置に取り付けられた取付部材としての器具取付板と、構造物の下部に固定された固定部材としての固定金具とを備えている。固定金具は、構造物に沿って長手状に形成された平板状の金具本体を有し、金具本体の長手方向の両端部近傍にて、構造物の上部にわたってＵボルトが締着されることで、構造物に固定されている。
【０００４】
照明装置は、構造物の下部に固定された固定部材としての固定金具に対して所定方向で取り付けられる。
【先行技術文献】
【特許文献】
【０００５】
【特許文献１】特開２００８−２１８０９３号公報
【発明の概要】
【発明が解決しようとする課題】
【０００６】
特許文献１に開示される照明システムにあっては、吊りパイプからなる構造物に、照明装置に取り付けられたＵボルトを引っ掛けて照明装置を構造物に取り付けようとすると、照明装置を支持する作業者と、Ｕボルトにナットを締結する作業者が必要となる。このため、作業者が複数人必要となり、吊り下げ部に照明器具を吊り下げて取り付ける作業がしにくく、作業性が悪いものであった。
【０００７】
本開示は上記従来の問題点に鑑みてなされたものであって、その目的とするところは、吊り下げ部に照明器具を吊り下げて取り付ける作業がしやすい照明器具の取付方法、取付具及び照明器具ユニットを提供することにある。
【課題を解決するための手段】
【０００８】
上記課題を解決するために、本開示に係る一形態は、照明器具を、取付具を介して吊り下げ部に吊り下げて前記吊り下げ部に取り付ける照明器具の取付方法である。前記照明器具は、開口又は切欠からなる第一通し部を有する第一支持部と、開口又は切欠からなる第二通し部を有する第二支持部と、を有している。前記取付具は、前記吊り下げ部に支持される上支持片と、第一側片と、第二側片と、を有している。前記第一側片は、前記上支持片の一水平方向の一端側部分から下方に第一長さ突出し、仮支持部を有しかつ前記仮支持部よりも上側の部分に本支持具が取り付けられる本支持具取付部を有する。前記第二側片は、前記上支持片の前記一水平方向の他端側部分から下方に前記第一長さよりも短い第二長さ突出し、雄ねじ部を有する。
【０００９】
前記第一側片が前記第一通し部に通されて前記仮支持部が前記第一支持部の前記第一通し部の周辺部分を支持可能な状態で、前記上支持片が前記吊り下げ部に支持されて前記取付具が前記吊り下げ部に吊り下げられる。前記吊り下げ部に吊り下げられた前記取付具の前記仮支持部により、前記第一支持部の前記第一通し部の周辺部分が支持され、かつ、前記第二側片が前記第二通し部の上方に位置する状態で、前記照明器具が前記取付具を介して前記吊り下げ部に吊り下げられる。前記照明器具が持ち上げられて上昇し、前記第二側片が前記第二通し部に通されて前記雄ねじ部が前記第二支持部の下方に位置する状態で、前記雄ねじ部にナットを螺合させる。前記本支持具取付部に前記本支持具が取り付けられる。
【００１０】
本開示に係る他の形態は、照明器具を、吊り下げ部に吊り下げて取り付けるための取付具である。前記照明器具は、開口又は切欠からなる第一通し部を有する第一支持部と、開口又は切欠からなる第二通し部を有する第二支持部と、を有する。前記取付具は、前記吊り下げ部に支持される上支持片と、第一側片と、第二側片と、を有している。前記第一側片は、前記上支持片の一水平方向の一端側部分から下方に第一長さ突出し、仮支持部を有しかつ前記仮支持部よりも上側の部分に本支持具が取り付けられる本支持具取付部を有する。前記第二側片は、前記上支持片の前記一水平方向の他端側部分から下方に前記第一長さよりも短い第二長さ突出し、雄ねじ部を有する。
【００１１】
本開示に係る更に他の形態は、照明器具と、取付具と、を備える照明器具ユニットである。前記照明器具は、開口又は切欠からなる第一通し部を有する第一支持部と、開口又は切欠からなる第二通し部を有する第二支持部と、を有する。前記取付具は、前記吊り下げ部に支持される上支持片と、第一側片と、第二側片と、を有している。前記第一側片は、前記上支持片の一水平方向の一端側部分から下方に第一長さ突出し、仮支持部を有しかつ前記仮支持部よりも上側の部分に本支持具が取り付けられる本支持具取付部を有する。前記第二側片は、前記上支持片の前記一水平方向の他端側部分から下方に前記第一長さよりも短い第二長さ突出し、雄ねじ部を有する。
【発明の効果】
【００１２】
本開示に係る照明器具の取付方法、取付具及び照明器具ユニットにあっては、吊り下げ部に照明器具を吊り下げて取り付ける作業がしやすい。
【図面の簡単な説明】
【００１３】
【図１】図１は、本開示の第一実施形態に係る照明器具ユニットが吊り下げ部に吊り下げられた状態の下方より見た斜視図である。
【図２】図２Ａは、同上の照明器具ユニットが吊り下げ部に吊り下げられた状態の正面図である。図２Ｂは、同上の照明器具ユニットが吊り下げ部に吊り下げられた状態の側面図である。
【図３】図３は、同上の照明器具ユニットの照明器具の回路図である。
【図４】図４Ａは、同上の照明器具の正面図である。図４Ｂは、同上の照明器具の平面図である。図４Ｃは、同上の照明器具の側面図である。
【図５】図５は、同上の照明器具ユニットの取付具、仮支持部及び本支持具の側面図である。
【図６】図６Ａは、同上の照明器具を吊り下げ部に吊り下げて取り付ける過程を示す側面図である。図６Ｂは、同上の照明器具を吊り下げ部に吊り下げて取り付ける過程を示す側面図である。
【図７】図７Ａは、本開示の第二実施形態に係る照明器具ユニットの取付具及び本支持具の側面図である。図７Ｂは同上の照明器具ユニットの取付具の正面図である。
【図８】図８Ａは、同上の照明器具を吊り下げ部に吊り下げて取り付ける過程を示す側面図である。図８Ｂは、同上の照明器具ユニットが吊り下げ部に吊り下げられた状態の側面図である。
【図９】図９は、本開示の第三実施形態に係る照明器具ユニットの取付具、仮支持部及び本支持具の側面図である。
【図１０】図１０Ａは、同上の照明器具を吊り下げ部に吊り下げて取り付ける過程を示す側面図である。図１０Ｂは、同上の照明器具ユニットが吊り下げ部に吊り下げられた状態の側面図である。
【発明を実施するための形態】
【００１４】
以下、本開示に係る第一実施形態の照明器具の取付方法、取付具及び照明器具ユニットについて、図１〜図６に基いて説明する。本開示に係る照明器具１は、テレビ局のスタジオや舞台などの背景壁面（ホリゾント）を照明する用途に用いられる、いわゆる、ホリゾントライト（特にアッパーホリゾントライト）である。なお、照明器具１は、ホリゾントライトには限定されず、他の用途に用いられる照明器具であってもよい。
【００１５】
第一実施形態に係る照明器具１は、図１及び図２に示すように、基本的な構成として、固体光源としての光源ユニット２と、電源ユニット３とを備えている。なお、図１に示すように、前後、左右、上下の各方向を規定する。
【００１６】
光源ユニット２は、４つのＬＥＤモジュールと、第１筐体２０と、反射板ブロックと、放熱板ブロック２２とを備えている。各ＬＥＤモジュールは、長方形状の基板の表面に複数の固体発光素子が実装されて構成されている。
【００１７】
第１筐体２０は、金属板によって直方体状に形成されている。第１筐体２０は、前面に矩形の窓孔２１が開口している。第１筐体２０の内部には、表面を窓孔２１に対向させるようにして、４つのＬＥＤモジュールが縦横２列に並べて収容されている。
【００１８】
反射板ブロックは、複数の反射板と、遮光板とを備えている。複数の反射板及び遮光板は、第１筐体２０内において、窓孔２１と各ＬＥＤモジュールの表面との間に配置されており、各ＬＥＤモジュールから放射される光の配光を制御するように構成されている。
【００１９】
放熱板ブロック２２は、多数の放熱板２２０を備えている。複数の放熱板２２０は、互いに板厚方向に沿って等間隔に並べて構成されている。放熱板ブロック２２は、第１筐体２０の後面に設けられている。なお、放熱板ブロック２２は、第１筐体２０内において、４つのＬＥＤモジュール（の基板）とそれぞれ熱的に結合されることが好ましい。
【００２０】
電源ユニット３は、回路ブロック（後述する点灯装置４）と、回路ブロックを収容する第２筐体３０と、左右一対のアーム３１とを備えている。回路ブロックは、第一実施形態の点灯装置４である。
【００２１】
第２筐体３０は、金属板によって扁平な直方体状に形成されており、回路ブロックを内部に収容するように構成されている。一対のアーム３１は、第２筐体３０の左右両端から上向きに立ち上がるように設けられている。一対のアーム３１は、先端に向かって、前後方向の幅寸法を徐々に狭くするように形成されている。各アーム３１の先端部分には、いわゆるノブボルト３２のボルトが挿通される挿通孔がそれぞれ設けられている。すなわち、一対のアーム３１は、先端部分の挿通孔に挿通されるボルトを、第１筐体２０の左右両側面に設けられる雌ねじにねじ込むことにより、光源ユニット２を回転可能に支持するように構成されている。
【００２２】
第一実施形態の照明器具１は、例えば、光源ユニット２の窓孔２１を背景壁面に向け、かつ、背景壁面から離れた床に設置される。第一実施形態の照明器具１は、背景壁面の床に近い下部から上部にかけてほぼ均一に照明光を照射することができる。
【００２３】
第一実施形態の点灯装置４は、図３に示すように、電源７からの電力を用いて固体光源４０を点灯させるように構成されている。点灯装置４は、例えば演出照明用の照明器具に用いられる。
【００２４】
電源７は、例えば、電源電圧の周波数が６０［Ｈｚ］又は５０［Ｈｚ］の交流電源である。電源７は、電源電圧を点灯装置４に供給する。
【００２５】
固体光源４０は、複数（図３の例では３個）の固体発光素子４００を備えている。複数の固体発光素子４００は、直列回路を構成している。各固体発光素子４００は、例えば、発光ダイオードである。各固体発光素子４００は、発光ダイオードではなく、例えば、有機エレクトロルミネセンス素子であってもよい。
【００２６】
第一実施形態の点灯装置４は、供給回路４１と、定電流回路４２と、制御回路４３とを備えている。点灯装置４による固体光源４０の調光方式としては、固体光源４０へ供給する直流電流を増減させる連続調光方式（直流電流調光方式）が用いられている。
【００２７】
供給回路４１は、調光比に応じた第１電流Ｉ１を固体光源４０に供給して調光比に応じた光量の光を固体光源４０から放射させるように構成されている。供給回路４１は、入力フィルタ４４と、整流回路４５と、昇圧チョッパ回路４６と、降圧チョッパ回路４７とを備えている。
【００２８】
入力フィルタ４４は、ノイズ等の不要な周波数成分を除去するように構成されている。整流回路４５は、入力フィルタ４４を介して入力された交流電圧を整流（全波整流、半波整流）した整流電圧を出力する。整流回路４５は、例えば、ダイオードブリッジで構成されている。
【００２９】
昇圧チョッパ回路４６は、力率改善回路として構成されている。昇圧チョッパ回路４６は、スイッチング素子Ｑ１と、インダクタ（チョークコイル）Ｌ１と、抵抗Ｒ１と、ダイオードＤ１と、平滑コンデンサＣ１とを備えている。スイッチング素子Ｑ１は、例えば、ｎチャネルのエンハンスメント形ＭＯＳＦＥＴ（電界効果トランジスタ）で構成されている。整流回路４５の高電位側には、インダクタＬ１とダイオードＤ１との直列回路が接続されている。また、スイッチング素子Ｑ１と抵抗Ｒ１との直列回路が、整流回路４５の出力端間にインダクタＬ１を介して接続されている。また、昇圧チョッパ回路４６の出力端間には、平滑コンデンサＣ１が接続されている。そして、スイッチング素子Ｑ１がオン・オフすることによって、平滑コンデンサＣ１の両端間に昇圧電圧が発生する。
【００３０】
降圧チョッパ回路４７は、スイッチング素子Ｑ２と、インダクタＬ２と、ダイオードＤ２と、平滑コンデンサＣ２と、抵抗Ｒ２とを備えている。スイッチング素子Ｑ２は、例えば、ｎチャネルのエンハンスメント形ＭＯＳＦＥＴ（電界効果トランジスタ）で構成されている。降圧チョッパ回路４７は、平滑コンデンサＣ１の両端間に、スイッチング素子Ｑ２、インダクタＬ２、平滑コンデンサＣ２及び抵抗Ｒ２がこの順で電気的に直列に接続されている。スイッチング素子Ｑ２とダイオードＤ２と抵抗Ｒ２との直列回路が昇圧チョッパ回路４６の出力端子間（平滑コンデンサＣ１の両端間）に電気的に接続されている。また、ダイオードＤ２のアノードとカソードとの間に、インダクタＬ２と平滑コンデンサＣ２との直列回路が電気的に接続されている。そして、平滑コンデンサＣ２の両端間に固体光源４０が電気的に接続されている。
【００３１】
降圧チョッパ回路４７の出力、つまり、固体光源４０に平滑コンデンサＣ２が電気的に並列に接続されていることにより、出力電流Ｉｏのピーク値とボトム値の差が小さくなり、出力電流Ｉｏの波形は、電流リプルの少ない直流波形に近づく。
【００３２】
定電流回路４２は、固体光源４０に電気的に並列に接続されている。定電流回路４２は、２つの抵抗Ｒ３、Ｒ４と、スイッチング素子Ｑ３とを備えている。降圧チョッパ回路４７の平滑コンデンサＣ２の両端間に、抵抗（抵抗素子）Ｒ４、スイッチング素子Ｑ３及び抵抗Ｒ３がこの順で電気的に直列に接続されている。抵抗Ｒ４が降圧チョッパ回路４７の高電位側に接続されており、抵抗Ｒ３が降圧チョッパ回路４７の低電位側に接続されている。スイッチング素子Ｑ３は、例えば、ｎチャネルのエンハンスメント形ＭＯＳＦＥＴ（電界効果トランジスタ）で構成されている。スイッチング素子Ｑ３は、定電流回路４２に流す第２電流Ｉ２の大きさ（電流値）を指示するための定電流制御信号Ｓ３に応じて、線形領域（能動領域）で動作する。言い換えると、スイッチング素子Ｑ３は、定電流制御信号Ｓ３に応じて、定電流回路４２に流れる第２電流Ｉ２となるドレイン電流を増減させる。
【００３３】
制御回路４３は、調光比に応じた光量の光を固体光源４０が放射するように供給回路４１及び定電流回路４２を制御するように構成されている。制御回路４３は、昇圧制御回路４３１と、制御部４３２と、降圧制御回路４３３と、定電流制御回路４３４とを備えている。
【００３４】
制御回路４３に外部から入力される調光信号Ｓ１は、調光比に応じて異なるデューティ比（１周期に対するオン期間の割合）を有するＰＷＭ（Pulse With Modulation）信号である。制御回路４３は、例えば、調光操作卓と呼ばれるコントローラなどの外部機器から調光信号Ｓ１を受信する。
【００３５】
昇圧制御回路４３１は、スイッチング素子Ｑ１のオン・オフをスイッチング制御することによって、昇圧チョッパ回路４６の昇圧動作を制御するように構成されている。
【００３６】
制御部４３２は、ＣＰＵ（中央演算処理装置）やメモリなどを有するマイクロコントローラで構成されている。制御部４３２は、メモリに格納されているプログラムがＣＰＵで実行されることにより、降圧チョッパ回路４７を制御して、固体光源４０から放射される光を調光するように構成されている。
【００３７】
制御部４３２は、外部から調光信号Ｓ１を受け取ると、調光テーブルを参照して、調光信号Ｓ１のデューティ比に応じて、調光比を求める。制御部４３２は、求めた調光比に応じて降圧制御信号Ｓ２を生成し、この降圧制御信号Ｓ２を降圧制御回路４３３へ出力する。降圧制御信号Ｓ２は、調光比を指示するための信号である。
【００３８】
降圧制御回路４３３は、降圧制御信号Ｓ２に基づいて、降圧チョッパ回路４７のスイッチング素子Ｑ２のオン・オフをスイッチング制御することによって、降圧チョッパ回路４７の降圧動作を制御する。
【００３９】
以下に、照明器具１の取付方法について説明する。図１及び図２に示すように、この照明器具１の取付方法は、照明器具１を、取付具５を介して吊り下げ部６に吊り下げて、照明器具１を吊り下げ部６に取り付ける方法である。吊り下げ部６は、テレビ局のスタジオや舞台などの天井近傍に配置されるバトンであるが、吊り下げ部６は特にバトンに限定されない。まず、照明器具１における吊り下げ部６への吊り下げに用いられる構成について説明する。
【００４０】
図４Ａ〜図４Ｃに示すように、照明器具１は、第一支持部１１と、第二支持部１２とを有している。第一実施形態では、アーム３１の上端部に、平面視矩形の板状をしたフランジ３１０が形成されており、このフランジ３１０の一部（前部）が第一支持部１１として機能する。フランジ３１０は、照明器具１の重量を支持することが可能である（図６Ａ参照）。第一支持部１１は、開口からなる第一通し部１１０を有する。なお、第一通し部１１０は、開口ではなく、切欠からなるものであってもよい。
【００４１】
また、フランジ３１０の一部（後部）が第二支持部１２として機能する。第二支持部１２は、開口からなる第二通し部１２０を有する。なお、第二通し部１２０は、開口ではなく、切欠からなるものであってもよい。なお、第一実施形態では、第一支持部１１及び第二支持部１２は、同一のフランジ３１０に形成されているが、異なる部材によりそれぞれ形成されてもよい。
【００４２】
次に、取付具５について説明する。図５に示すように、取付具５は、上支持片５０と、第一側片５１と、第二側片５２と、を有している。第一実施形態では、取付具５が逆Ｊ字状をしたＪ型ボルトであるが、取付具５はＪ型ボルトに限定されない。
【００４３】
上支持片５０は、吊り下げ部６の上面に支持される部分であり、Ｊ型ボルトの屈曲した部分である。
【００４４】
第一側片５１は、上支持片５０の一水平方向の一端側部分（第一実施形態では前端部）から、下方に向けて突出する。第一側片５１の上支持片５０から下方へ突出する長さを第一長さとする。第一側片５１の下部には、仮支持部５３が形成される。第一実施形態では、第一側片５１の下部に下雄ねじ部５１１が形成されており、この下雄ねじ部５１１に仮支持部５３としてのナット５３１が螺合して、仮支持部５３が構成されている（図６Ａ参照）。ナット５３１は、ダブルナットであるが、ナット５３１はダブルナットに限定されない。また、ナット５３１の上側にワッシャが設けられ、ワッシャの上側にスプリングワッシャが設けられているが、これらは特に設けられなくてもよい。
【００４５】
第一側片５１の仮支持部５３よりも上側の部分に、本支持具取付部５４が形成される。第一実施形態では、第一側片５１の上部に本支持具取付部５４としての上雄ねじ部５１２が形成されている。本支持具取付部５４には、本支持具５５が取り付けられる。第一実施形態では、仮支持部５３としてのナット５３１が本支持具５５を兼用している（図２Ｂ参照）。
【００４６】
図５に示すように、第二側片５２は、上支持片５０の一水平方向の他端側部分（第一実施形態では後端部）から、下方に向けて突出する。第二側片５２の上支持片５０から下方へ突出する長さを第二長さとすると、第二長さは第一長さよりも短い。すなわち、第二側片５２の下端部は、第一側片５１の下端部よりも上方に位置する。更にいうと、第二側片５２の下端部は、第一側片５１の仮支持部５３よりも上方に位置する。
【００４７】
第二側片５２には、雄ねじ部５２１が形成される。第一実施形態では、第二側片５２の下端部に雄ねじ部５２１が形成されている。雄ねじ部５２１には、ナット５６が螺合される。ナット５６は、ダブルナットであるが、ナット５６はダブルナットに限定されない。また、ナット５６の上側にワッシャが設けられ、ワッシャの上側にスプリングワッシャが設けられているが、これらは特に設けられなくてもよい。以上のような照明器具１と取付具５とにより、照明器具ユニットが構成される。
【００４８】
次に、照明器具１を吊り下げ部６に取り付ける方法について説明する。第一実施形態における作業者は一人であるが、作業者は複数人であってもよい。
【００４９】
照明器具ユニットにあっては、第一側片５１が第一通し部１１０に通されて、第一側片５１の仮支持部５３が、第一支持部１１の第一通し部１１０の周辺部分を支持可能な状態で、取り付け作業が開始される。
【００５０】
図６Ａに示すように、作業者は、照明器具ユニットを持ち上げて、上支持片５０が吊り下げ部６に支持されるように、取付具５を吊り下げ部６に引っ掛ける。取付具５は、吊り下げ部６に吊り下げられる。この段階では、作業者は、まだ照明器具１を支持している。
【００５１】
作業者は、照明器具１の支持を徐々にやめていく。吊り下げ部６に吊り下げられた取付具５の仮支持部５３に、第一支持部１１の第一通し部１１０の周辺部分が支持されていく。作業者が照明器具１の支持を完全にやめると、仮支持部５３に第一支持部１１の第一通し部１１０の周辺部分が支持されて、照明器具１が取付具５を介して吊り下げ部６に吊り下げられ、照明器具１の全重量が仮支持部５３にかかる。
【００５２】
なお、作業者は、照明器具ユニットを持ち上げてから照明器具１の支持を完全にやめるまでの一連の動作において、照明器具ユニットを持ち上げるのに取付具５を掴んで持ち上げ、照明器具１に触れずに作業を行ってもよい。
【００５３】
照明器具１の全重量が、吊り下げ部６に吊り下げられた取付具５の仮支持部５３に支持されると、第二側片５２が第二通し部１２０の上方に位置する状態となる。
【００５４】
次に、作業者は、照明器具１を持ち上げて上昇させ、図６Ｂに示すように、第二側片５２が第二通し部１２０に通されて、雄ねじ部５２１が第二支持部１２の下方に位置する状態とする。
【００５５】
次に、作業者は、第二支持部１２の下方に位置する雄ねじ部５２１にナット５６を螺合させて、図２Ｂに示すように、ナット５６に第二支持部１２の第二通し部１２０の周辺部分を支持させる。
【００５６】
更に作業者は、図６Ｂに示すように、第一側片５１の下雄ねじ部５１１に螺合して仮支持部５３を構成しているナット５３１を回転させて、ナット５３１を下雄ねじ部５１１の上側に移動させる。作業者は、本支持具５５を兼用するナット５３１を、本支持具取付部５４としての上雄ねじ部５１２に螺合させる。これにより、図２Ｂに示すように、本支持具取付部５４に本支持具５５が取り付けられる。本支持具５５は、第一支持部１１の第一通し部１１０の周辺部分を支持する。
【００５７】
以上のような照明器具ユニットにあっては、照明器具１を、取付具５を介して吊り下げ部６に吊り下げて、照明器具１を吊り下げ部６に取り付けるにあたり、途中で、照明器具１の全重量を仮支持部５３にかけることができる。作業者は、一旦、照明器具１の支持を完全にやめることができ、一人での作業がしやすく、作業性がよい。
【００５８】
また、ナット５３１が仮支持部５３と本支持具５５とを兼用するため、部材が少なくてすみ、仮支持部５３が残って邪魔になることがない。
【００５９】
なお、第一実施形態においては、下雄ねじ部５１１と上雄ねじ部５１２は独立した別のねじ部であったが、下雄ねじ部５１１と上雄ねじ部５１２とが一連のねじ部により構成されてもよい。
【００６０】
次に、第二実施形態の照明器具１の取付方法、取付具５及び照明器具ユニットについて、図７及び図８に基いて説明する。なお、第二実施形態の照明器具１の取付方法、取付具５及び照明器具ユニットは、第一実施形態と大部分において同じである。このため、第一実施形態と重複する説明は省略する。
【００６１】
第二実施形態の照明器具１は、第一実施形態と同一である。第二実施形態の取付具５が、第一実施形態の取付具５と異なる。
【００６２】
図７に示すように、第二実施形態の取付具５は、取付具５が逆Ｊ字状をしたＪ型ボルトであり、この点は第一実施形態と同じである。
【００６３】
第一側片５１の下端部５１３がその上側の部分に対して曲がっていて、曲がっている下端部５１３が仮支持部５３を構成する。第一実施形態における下雄ねじ部５１１、上雄ねじ部５１２、ナット５３１は、第二実施形態では設けられない。
【００６４】
第一側片５１の上部に溝部５１５が形成されており、溝部５１５に本支持具５５としてのＥリング５５１が挿入される。
【００６５】
第二側片５２に雄ねじ部５２１が形成され、雄ねじ部５２１にナット５６が螺合される点は、第一実施形態と同じである。
【００６６】
照明器具１を吊り下げ部６に取り付ける方法について説明する。図８Ａに示すように、作業者は、照明器具ユニットを持ち上げて、取付具５を吊り下げ部６に引っ掛ける。曲がっている下端部５１３からなる仮支持部５３に、第一支持部１１の第一通し部１１０の周辺部分が支持される。
【００６７】
作業者は、照明器具１を持ち上げて上昇させて、第二側片５２が第二通し部１２０に通されて、雄ねじ部５２１が第二支持部１２の下方に位置する状態とする。
【００６８】
次に、作業者は、第二支持部１２の下方に位置する雄ねじ部５２１にナット５６を螺合させて、図８Ｂに示すように、ナット５６に第二支持部１２の第二通し部１２０の周辺部分を支持させる。
【００６９】
更に作業者は、第一側片５１の溝部５１５にＥリング５５１を挿入して、Ｅリング５５１を本支持具５５として機能させる。本支持具５５は、第一支持部１１の第一通し部１１０の周辺部分を支持する。
【００７０】
以上のような照明器具ユニットにあっても、照明器具１を、取付具５を介して吊り下げ部６に吊り下げて、照明器具１を吊り下げ部６に取り付けるにあたり、途中で、照明器具１の全重量を仮支持部５３にかけることができる。作業者は、一旦、照明器具１の支持を完全にやめることができ、一人での作業がしやすく、作業性がよい。また、取付具５の下端部５１３を曲げるだけで仮支持部５３を構成することができる。また、Ｅリング５５１により本支持具５５を容易に構成することができる。
【００７１】
次に、第三実施形態の照明器具１の取付方法、取付具５及び照明器具ユニットについて、図９及び図１０に基いて説明する。なお、第三実施形態の照明器具１の取付方法、取付具５及び照明器具ユニットは、第一実施形態及び第二実施形態と大部分において同じである。このため、第一実施形態及び第二実施形態と重複する説明は省略する。
【００７２】
第三実施形態の照明器具１は、第一実施形態及び第二実施形態と同一である。第三実施形態の取付具５が、第一実施形態及び第二実施形態の取付具５と異なる。
【００７３】
図９に示すように、第三実施形態の取付具５は、取付具５が逆Ｊ字状をしたＪ型ボルトであり、この点は第一実施形態及び第二実施形態と同じである。
【００７４】
第一側片５１の下部に溝部５１４が形成されており、溝部５１４に仮支持部５３としてのＥリング５３２が挿入される。第一実施形態における下雄ねじ部５１１、上雄ねじ部５１２、ナット５３１は、第二実施形態では設けられない。また、第二実施形態における曲がっている下端部５１３は設けられない。
【００７５】
第一側片５１の上部に溝部５１５が形成されており、溝部５１５に本支持具５５としてのＥリング５５１が挿入される点は、第二実施形態と同じである。また、第二側片５２に雄ねじ部５２１が形成され、雄ねじ部５２１にナット５６が螺合される点は、第一実施形態及び第二実施形態と同じである。
【００７６】
照明器具１を吊り下げ部６に取り付ける方法について説明する。図１０Ａに示すように、作業者は、照明器具ユニットを持ち上げて、取付具５を吊り下げ部６に引っ掛ける。Ｅリング５３２からなる仮支持部５３に、第一支持部１１の第一通し部１１０の周辺部分が支持される。
【００７７】
作業者は、照明器具１を持ち上げて上昇させて、第二側片５２が第二通し部１２０に通されて、雄ねじ部５２１が第二支持部１２の下方に位置する状態とする。
【００７８】
次に、作業者は、第二支持部１２の下方に位置する雄ねじ部５２１にナット５６を螺合させて、図１０Ｂに示すように、ナット５６に第二支持部１２の第二通し部１２０の周辺部分を支持させる。
【００７９】
更に作業者は、第一側片５１の溝部５１５にＥリング５５１を挿入して、Ｅリング５５１を本支持具５５として機能させる。本支持具５５は、第一支持部１１の第一通し部１１０の周辺部分を支持する。
【００８０】
以上のような照明器具ユニットにあっても、照明器具１を、取付具５を介して吊り下げ部６に吊り下げて、照明器具１を吊り下げ部６に取り付けるにあたり、途中で、照明器具１の全重量を仮支持部５３にかけることができる。作業者は、一旦、照明器具１の支持を完全にやめることができ、一人での作業がしやすく、作業性がよい。また、Ｅリング５３２により仮支持部５３を容易に構成することができる。また、Ｅリング５５１により本支持具５５を容易に構成することができる。
【００８１】
なお、第一実施形態〜第三実施形態では、作業者は、先に雄ねじ部５２１にナット５６を螺合させ、後でナット５３１を上雄ねじ部５１２に螺合させているが、順序は逆であってもよい。
【００８２】
以上、述べた第一実施形態〜第三実施形態から明らかなように、第１の態様は、照明器具１を、取付具５を介して吊り下げ部６に吊り下げて吊り下げ部６に取り付ける照明器具１の取付方法である。照明器具１は、開口又は切欠からなる第一通し部１１０を有する第一支持部１１と、開口又は切欠からなる第二通し部１２０を有する第二支持部１２と、を有している。取付具５は、吊り下げ部６に支持される上支持片５０と、第一側片５１と、第二側片５２と、を有している。第一側片５１は、上支持片５０の一水平方向の一端側部分から下方に第一長さ突出し、仮支持部５３を有しかつ仮支持部５３よりも上側の部分に本支持具５５が取り付けられる本支持具取付部５４を有する。第二側片５２は、上支持片５０の一水平方向の他端側部分から下方に第一長さよりも短い第二長さ突出し、雄ねじ部５２１を有する。
【００８３】
第一側片５１が第一通し部１１０に通されて仮支持部５３が第一支持部１１の第一通し部１１０の周辺部分を支持可能な状態で、上支持片５０が吊り下げ部６に支持されて取付具５が吊り下げ部６に吊り下げられる。吊り下げ部６に吊り下げられた取付具５の仮支持部５３により、第一支持部１１の第一通し部１１０の周辺部分が支持され、かつ、第二側片５２が第二通し部１２０の上方に位置する状態で、照明器具１が取付具５を介して吊り下げ部６に吊り下げられる。照明器具１が持ち上げられて上昇し、第二側片５２が第二通し部１２０に通されて雄ねじ部５２１が第二支持部１２の下方に位置する状態で、雄ねじ部５２１にナット５６を螺合させる。本支持具取付部５４に本支持具５５が取り付けられる。
【００８４】
第１の態様によれば、照明器具１を吊り下げ部６に取り付ける作業の途中で、照明器具１の全重量を仮支持部５３にかけることができる。このため、作業者は、一旦、照明器具１の支持を完全にやめることができ、一人での作業がしやすく、作業性がよい。
【００８５】
第２の態様では、第１の態様との組み合わせにより実現され得る。第２の態様では、取付具５が逆Ｊ字状をしたＪ型ボルトである。第一側片５１の下部に下雄ねじ部５１１が形成されかつ上部に本支持具取付部５４としての上雄ねじ部５１２が形成されており、下雄ねじ部５１１に仮支持部５３としてのナット５３１が螺合する。仮支持部５３としてのナット５３１が本支持具５５を兼用して、上雄ねじ部５１２に螺合する。
【００８６】
第２の態様によれば、ナット５３１が仮支持部５３と本支持具５５とを兼用するため、部材が少なくてすみ、仮支持部５３が残って邪魔になることがない。
【００８７】
第３の態様では、第１の態様との組み合わせにより実現され得る。第３の態様では、取付具５が逆Ｊ字状をしたＪ型ボルトである。第一側片５１の下端部５１３がその上側の部分に対して曲がっていて、曲がっている下端部５１３が仮支持部５３を構成する。
【００８８】
第３の態様によれば、取付具５の下端部５１３を曲げるだけで仮支持部５３を構成することができる。
【００８９】
第４の態様では、第１の態様との組み合わせにより実現され得る。第４の態様では、取付具５が逆Ｊ字状をしたＪ型ボルトである。第一側片５１の下部に溝部５１４が形成されており、溝部５１４に仮支持部５３としてのＥリング５３２が挿入される。
【００９０】
第４の態様によれば、Ｅリング５３２により仮支持部５３を容易に構成することができる。
【００９１】
第５の態様では、第３または第４の態様との組み合わせにより実現され得る。第５の態様では、第一側片５１の上部に溝部５１５が形成されており、溝部５１５に本支持具５５としてのＥリング５５１が挿入される。
【００９２】
第５の態様によれば、Ｅリング５５１により本支持具５５を容易に構成することができる。
【００９３】
第６の態様は、照明器具１を、吊り下げ部６に吊り下げて取り付けるための取付具５である。照明器具１は、開口又は切欠からなる第一通し部１１０を有する第一支持部１１と、開口又は切欠からなる第二通し部１２０を有する第二支持部１２と、を有する。取付具５は、吊り下げ部６に支持される上支持片５０と、第一側片５１と、第二側片５２と、を有している。第一側片５１は、上支持片５０の一水平方向の一端側部分から下方に第一長さ突出し、仮支持部５３を有しかつ仮支持部５３よりも上側の部分に本支持具５５が取り付けられる本支持具取付部５４を有する。第二側片５２は、上支持片５０の一水平方向の他端側部分から下方に第一長さよりも短い第二長さ突出し、雄ねじ部５２１を有する。
【００９４】
第６の態様によれば、照明器具１を吊り下げ部６に取り付ける作業の途中で、照明器具１の全重量を仮支持部５３にかけることができる。このため、作業者は、一旦、照明器具１の支持を完全にやめることができ、一人での作業がしやすく、作業性がよい。
【００９５】
第７の態様は、照明器具１と、取付具５と、を備える照明器具ユニットである。照明器具１は、開口又は切欠からなる第一通し部１１０を有する第一支持部１１と、開口又は切欠からなる第二通し部１２０を有する第二支持部１２と、を有する。取付具５は、吊り下げ部６に支持される上支持片５０と、第一側片５１と、第二側片５２と、を有している。第一側片５１は、上支持片５０の一水平方向の一端側部分から下方に第一長さ突出し、仮支持部５３を有しかつ仮支持部５３よりも上側の部分に本支持具５５が取り付けられる本支持具取付部５４を有する。第二側片５２は、上支持片５０の一水平方向の他端側部分から下方に第一長さよりも短い第二長さ突出し、雄ねじ部５２１を有する。
【００９６】
第７の態様によれば、照明器具１を吊り下げ部６に取り付ける作業の途中で、照明器具１の全重量を仮支持部５３にかけることができる。このため、作業者は、一旦、照明器具１の支持を完全にやめることができ、一人での作業がしやすく、作業性がよい。
【符号の説明】
【００９７】
１      照明器具
１１    第一支持部
１１０  第一通し部
１２    第二支持部
１２０  第二通し部
５      取付具
５０    上支持片
５１    第一側片
５１１  下雄ねじ部
５１２  上雄ねじ部
５１３  曲がった下端部
５１４  溝部
５１５  溝部
５２    第二側片
５２１  雄ねじ部
５３    仮支持部
５３１  ナット
５３２  Ｅリング
５４    本支持具取付部
５５    本支持具
５５１  Ｅリング
５６    ナット
６      吊り下げ部
【図１】
2020107435.tif 000003
【図２】
2020107435.tif 000004
【図３】
2020107435.tif 000005
【図４】
2020107435.tif 000006
【図５】
2020107435.tif 000007
【図６】
2020107435.tif 000008
【図７】
2020107435.tif 000009
【図８】
2020107435.tif 000010
【図９】
2020107435.tif 000011
【図１０】
2020107435.tif 000012